(57)【特許請求の範囲】
【請求項１】
パネルの下部に取着され、該パネルと一体で移動するスライダーと、前記スライダーと係合され、該スライダー及びパネルの移動を誘導する下部レールとを備え、前記スライダーと下部レールには、該スライダーの下部レールからの外れを防止する係合手段を備えた戸において、
前記係合手段は、前記下部レールに配設され、上方が溝内幅より幅狭に形成された係止溝と、前記スライダーに配設された第一及び第二の係合部とから構成され、
前記第一の係合部は前記係止溝に弾性的に係合され、前記スライダーの上方への抜け止めを行い、
前記第二の係合部は前記係止溝の上方から挿入可能とされ、前記係止溝の側面を構成するレールに係合することを特徴とする戸。
【請求項２】
前記下部レールは上方に向かうにつれて幅狭に形成されたレール斜面を備え、前記スライダーの第二の係合部は上方に該レール斜面と対向する第二の上方斜面を備えたことを特徴とする請求項１に記載の戸。
【請求項３】
前記第一の係合部は、前記係止溝の開口端部に係合する係合端部を備えたことを特徴とする請求項１又は２に記載の戸。
【請求項４】
前記第一の係合部は上方に前記レール斜面と対向する第一の上方斜面を備えたことを特徴とする請求項１又は２に記載の戸。
【請求項５】
前記第一の係合部は、前記係合端部の下方に該第一の係合部を前記係止溝の内部に導く斜面部を備えていることを特徴とする請求項１又は２に記載の戸。
【請求項６】
前記第一の係合部は、前記係止溝との係合状態において、前記係止溝の開口端部より上方に凹部を備えていることを特徴とする請求項１又は２に記載の戸。
【請求項７】
前記下部レールは２つの係止溝にて構成され、前記スライダーは各係止溝に少なくとも１つずつ配設される前記第一の係合部と前記第二の係合部とを備えたことを特徴とする請求項１又は２に記載の戸。
【請求項８】
前記第一の係合部は、該第一の係合部の上方にスリットを設けることで弾性変形可能とされていることを特徴とする請求項１又は２に記載の戸。
【請求項９】
前記第一の係合部は前記スライダーの前後方向の少なくとも一方に前記係合端部に向かって幅狭となるテーパ面を備えていることを特徴とする請求項１又は２に記載の戸。
【発明の詳細な説明】
【技術分野】
【０００１】
本発明は、パネルを上部レールと下部レールとの間で移動可能に支持して、上部レール及び下部レールに沿って移動可能とした戸に関するものである。
【背景技術】
【０００２】
従来、クローゼット等の扉あるいは室内空間を適宜に区画する間仕切りとして使用される引戸は、例えば図１０に示すように、複数枚のパネル１ａ〜１ｄが下部レール２と上部レール３との間で移動可能に支持され、かつパネル１ａ，１ｂ及びパネル１ｃ，１ｄが蝶番４を介して回動可能に連結されている。【０００３】
各パネル１ａ〜１ｄは、その幅方向中央部に下部スライダー（ランナー）５及び上部スライダー（ランナー）６が設けられ、両スライダー５，６で下部レール２及び上部レール３に沿って移動可能に、かつ回動可能に支持されている。【０００４】
近年、住居のバリアフリー化の要請により、下部スライダー５を支持する下部レール２の床面からの突出量を少なくすることが必要となっており、下部レール２は、床面からの高さが３ｍｍ程度に抑えられている。【０００５】
そして、このように下部レール２の形状が制限されることにより、該下部レール２に係合される下部スライダー５の形状も特許文献１〜４に示すように様々なものが開示されている。
【特許文献１】特開平１０−４６９０６号公報
【特許文献２】特許第３２６５８２８号公報
【特許文献３】特開昭５４−７７４３９号公報
【特許文献４】実公昭４６−８８７１号公報
【発明の開示】
【発明が解決しようとする課題】
【０００６】
ところが、特許文献１又は２に記載の発明では、下部スライダーはローラの左右方向においてはレールと係合しているものの、ローラ上部はレールと係合していないので、上方向の力がかかった場合、ローラがレールから外れる虞がある。【０００７】
また、特許文献３に記載の発明では、下部スライダーは下部レールに沿った方向にのみ移動可能とされている。従って、下部スライダーを下部レールに係合する際には、該下部スライダーを下部レールの長手方向端部から取り付け或いは取り外しを行わなければならず、施工性が悪いという問題点があった。【０００８】
また、特許文献４に記載の発明においては、カーテンレール用のレール及びスライダーの構造であるため、カーテンレールの断面横方向に向かう力に弱いという問題点があった。【０００９】
本発明は上記問題点を解決するためになされたものであって、その目的は、下部レールへのスライダーの取り付け或いは取り外しの施工性がよく、且つ下部レールからスライダーが外れにくい戸を提供することにある。
【課題を解決するための手段】
【００１０】
上記目的を達成するため、請求項１に記載の発明は、パネルの下部に取着され、該パネルと一体で移動するスライダーと、前記スライダーと係合され、該スライダー及びパネルの移動を誘導する下部レールとを備え、前記スライダーと下部レールには、該スライダーの下部レールからの外れを防止する係合手段を備えた戸において、前記係合手段は、前記下部レールに配設され、上方が溝内幅より幅狭に形成された係止溝と、前記スライダーに配設された第一及び第二の係合部とから構成され、前記第一の係合部は前記係止溝に弾性的に係合され、前記スライダーの上方への抜け止めを行い、前記第二の係合部は前記係止溝の上方から挿入可能とされ、前記係止溝の側面を構成するレールに係合する。【００１１】
請求項２に記載の発明は、請求項１に記載の発明において、前記下部レールは上方に向かうにつれて幅狭に形成されたレール斜面を備え、前記スライダーの第二の係合部は上方に該レール斜面と対向する第二の上方斜面を備えた。【００１２】
請求項３に記載の発明は、請求項１又は２に記載の発明において、前記第一の係合部は、前記係止溝の開口端部に係合する係合端部を備えた。また、請求項４に記載の発明は、請求項１又は２に記載の発明において、前記第一の係合部は上方に前記レール斜面と対向する第一の上方斜面を備えた。【００１３】
請求項５に記載の発明は、請求項１又は２に記載の発明において、前記第一の係合部は、前記係合端部の下方に該第一の係合部を前記係止溝の内部に導く斜面部を備えている。【００１４】
請求項６に記載の発明は、請求項１又は２に記載の発明において、前記第一の係合部は、前記係止溝との係合状態において、前記係止溝の開口端部より上方に凹部を備えている。【００１５】
請求項７に記載の発明は、請求項１又は２に記載の発明において、前記下部レールは２つの係止溝にて構成され、前記スライダーは各係止溝に少なくとも１つずつ配設される前記第一の係合部と前記第二の係合部とを備えた。【００１６】
請求項８に記載の発明は、請求項１又は２に記載の発明において、前記第一の係合部は、該第一の係合部の上方にスリットを設けることで弾性変形可能とされている。【００１７】
請求項９に記載の発明は、請求項１又は２に記載の発明において、前記第一の係合部は前記スライダーの前後方向の少なくとも一方に前記係合端部に向かって幅狭となるテーパ面を備えている。
【発明の効果】
【００１８】
本発明によれば、下部レールへのスライダーの取り付け或いは取り外しの施工性がよく、且つ下部レールからスライダーが外れにくい戸を提供することができる。
【図面の簡単な説明】
【００１９】
【図１】スライダーの取り付け状態を示す概略図。
【図２】（ａ）〜（ｃ）は第一の実施の形態のスライダーの説明図。
【図３】（ａ）〜（ｃ）はスライダー取り付けを示す説明図。
【図４】スライダーの作用を示す説明図。
【図５】（ａ）〜（ｃ）は第二の実施の形態のスライダーの説明図。
【図６】別例のスライダーの上面図。
【図７】別例のスライダーの断面図。
【図８】（ａ）、（ｂ）は別例のスライダーの説明図。
【図９】別例のスライダーの作用を示す説明図。
【図１０】折引戸を示す正面図。
【符号の説明】
【００２０】
１３，２３，２６，２９，３１  スライダー
１４  下部レール
１４ａ〜１４ｄ  開口端部
１５ａ〜１５ｄ，２５ａ，２５ｂ，２８ａ，２８ｂ  係合手段としての第一の係合部
１５ｅ〜１５ｈ，２５ｃ，２５ｄ，２８ｃ，２８ｄ  係合端部
１６ａ，１６ｂ，２４ａ〜２４ｄ，２６ａ，２６ｂ  係合手段としての第二の係合部
１７ａ〜１７ｄ  斜面部としての第一の上方斜面
１８ａ〜１８ｄ  斜面部としての下方斜面
２１ａ，２１ｂ  係止溝
２２ａ〜２２ｄ  レール斜面
３０ａ，３０ｂ  引っ掛け凸部
３３ａ〜３３ｄ  テーパ面
【発明を実施するための最良の形態】
【００２１】
（第一の実施の形態）
以下、本発明を具体化した第一の実施の形態を図１〜図４に従って説明する。パネルの下枠１１内には、スライダーの支持装置１２が設けられ、その支持装置１２から下枠１１の下方に支軸１２ａが突設され該支軸１２ａの下方に合成樹脂にて成形されたスライダー１３が軸方向に回転可能に取着されている。支軸１２ａは支持装置１２に対し水平方向に回転可能に上下方向に出没可能に支持されている。従って、スライダー１３はパネルに対し水平方向に回転可能で且つレールに沿う方向に回転可能に支持されている。前記支持装置１２及びスライダー１３は、図１０に示す従来例と同様に各パネルの幅方向中央部に設けられる。【００２２】
スライダー１３は床面Ｆ上に露出して取着される下部レール１４に係合されており、該下部レール１４に沿って移動可能とされている。図２（ａ）〜（ｃ）に示すように、スライダー１３の下部には、係合手段としての第一の係合部１５ａ〜１５ｄ及び第二の係合部１６ａ，１６ｂが形成されている。第一の係合部１５ａ〜１５ｄは、スライダー１３の前後方向両側に配設されており、その間には第二の係合部１６ａ，１６ｂが配設されている。尚、ここでいう前後方向とは、スライダー１３の移動方向（図２（ａ）において長手方向）を指し、以後、図２（ａ）の左右方向をスライダー１３の幅方向と定義する。【００２３】
第一の係合部１５ａ〜１５ｄは、下端近傍位置がスライダー１３の幅方向外側に向かって突出する係合端部１５ｅ〜１５ｈを備えている。係合端部１５ｅ〜１５ｈの上部には斜面部としての第一の上方斜面１７ａ〜１７ｄが形成されており、係合端部１５ｅ〜１５ｈの下部には斜面部としての下方斜面１８ａ〜１８ｄがそれぞれ形成されている。【００２４】
スライダー１３の幅方向において、第一の係合部１５ａ〜１５ｄの内側には上方に向かってスリット１９が形成されている。第一の係合部１５ａ〜１５ｄは、スリット１９が形成されることでスライダー１３の幅方向に弾性変形可能とされている。【００２５】
前記第二の係合部１６ａ，１６ｂの下端は、前記第一の係合部１５ａ〜１５ｄよりも下方に若干突出するように形成されている。第二の係合部１６ａ，１６ｂは、下端近傍位置がスライダー１３の幅方向両側に突出している。また、第二の係合部１６ａ，１６ｂは、スライダー１３の幅方向において、外側の端部が前記第一の係合部１５ａ〜１５ｄの先端よりも内側に位置するように設定されている。そして、各端部の上方に第二の上方斜面２０ａ〜２０ｄが形成されている。【００２６】
図１及び図３（ａ）〜（ｃ）に示すように、下部レール１４には、前記第一の係合部１５ａ〜１５ｄ及び第二の係合部１６ａ，１６ｂを移動可能に支持する２条の係止溝２１ａ，２１ｂが形成されている。前記下部レール１４は、アルミ押し出し形材で形成され、床面Ｆ上に露出して取着される。そして、床面Ｆからの高さが約３ｍｍとなるように形成されている。【００２７】
係止溝２１ａ，２１ｂの両側面には、互いに対向するレール斜面２２ａ〜２２ｄが形成される。そのレール斜面２２ａ〜２２ｄは、前記第一の上方斜面１７ａ〜１７ｄ及び第二の上方斜面２０ａ〜２０ｄに対向するように斜め下方に向かって形成されている。【００２８】
このように形成された係止溝２１ａ，２１ｂは、上方に近付くにつれて幅狭に形成されており、その上端に開口端部１４ａ〜１４ｄが形成されている。開口端部１４ａと開口端部１４ｂとの間隔は第二の係合部１６ａの下端の幅と略等しく設定されており、開口端部１４ｃと開口端部１４ｄとの間隔は第二の係合部１６ｂの下端の幅と略等しく設定されている。また、開口端部１４ａと開口端部１４ｄとの間隔は、係合端部１５ｅと係合端部１５ｆとの間隔及び係合端部１５ｇ（図２（ａ）参照）と係合端部１５ｈとの間隔より狭く設定されている。【００２９】
次に、このように構成されたスライダー１３及び下部レール１４の作用について説明する。図３（ａ）に示すように、スライダー１３を下部レール１４に取着するときは、先ず、第二の係合部１６ａ，１６ｂが係止溝２１ａ，２１ｂの真上にくるようにスライダー１３を位置決めする。この際、スライダー１３の幅方向両端において、係合端部１５ｅ〜１５ｈは、開口端部１４ａ或いは開口端部１４ｄよりも外側に突出している。従って、下方斜面１８ａ〜１８ｄ（図２（ｂ）参照）が下部レール１４に当接する。【００３０】
図３（ａ）に示す状態から、スライダー１３を下方に向かって押圧すると、スライダー１３は、図３（ｂ）に示すように、第一の係合部１５ａ〜１５ｄが下方斜面１８ａ〜１８ｄに沿って徐々にスライダー１３の幅方向内側に向かって弾性変形されながら、下方へと移動される。【００３１】
図３（ｂ）に示す状態から、スライダー１３を更に下方に移動させると、両レール斜面２２ａ〜２２ｄの間隔が徐々に広くなるため第一の係合部１５ａ〜１５ｄは、図３（ｃ）に示すように、元の状態、即ち係合端部１５ｅ〜１５ｈが、開口端部１４ａ或いは開口端部１４ｄよりも外側に突出した状態に戻り、スライダー１３の組み付けが終了する。【００３２】
このようにして下部レール１４に組み付けられたスライダー１３は、例えば図４に示すように、幅方向への力を受けて片側に傾斜した際、第一の上方斜面１７ａ，１７ｃ及び第二の上方斜面２０ａがレール斜面２２ａに近接する。このとき、第一の上方斜面１７ｂ，１７ｄ及び第二の上方斜面２０ｄはレール斜面２２ｄと係合しなくなるが、第二の上方斜面２０ｃがレール斜面２２ｃに係合する。従って、スライダー１３に横方向の力が作用しても、スライダー１３の下部レール１４からの外れを確実に防止することができる。【００３３】
また、スライダー１３を下部レール１４から取り外すときは、スライダー１３を上方に向かって引き上げることで、図３（ｂ）に示すように、係合端部１５ｅ〜１５ｈが第一の上方斜面１７ａ〜１７ｄに沿って案内されて、第一の係合部１５ａ〜１５ｄがスライダー１３の幅方向内側に向かって弾性変形されながら、上方へと移動される。【００３４】
そして、図３（ｂ）に示す状態から、スライダー１３を更に上方に引き上げることで、スライダー１３が下部レール１４から取り外される。上記のように構成されたスライダー１３及び下部レール１４では、次に示す効果を得ることができる。【００３５】
（１）パネルを下部レール１４に沿って移動可能に支持することができる。
（２）下部レール１４の高さを低くしながら、第一及び第二の上方斜面１７ａ〜１７ｄ，２０ａ〜２０ｄとレール斜面２２ａ〜２２ｄとの係合により、スライダー１３の下部レール１４からの外れを防止することができる。【００３６】
（３）第一の係合部１５ａ〜１５ｄをスライダー１３の幅方向内側に弾性変形させることで、下部レール１４の上方から、或いは下部レール１４の上方に向かってスライダー１３の取り付け或いは取り外しを行うことができる。従って、下部レール１４の端部からスライダー１３を係合する必要がなく、スライダー１３組み付けの施工性を向上させることができる。【００３７】
（４）第一の係合部１５ａ〜１５ｄには下方斜面１８ａ〜１８ｄが形成されているため、該下方斜面１８ａ〜１８ｄに沿って第一の係合部１５ａ〜１５ｄを容易に弾性変形させることができ、スライダー１３を容易に下部レール１４に取り付けることができる。【００３８】
（５）スライダー１３は、２条で形成された下部レールの一方の係止溝２１ａには第一の係合部１５ａ，１５ｃ及び第二の係合部１６ａが係合され、他方の係止溝２１ｂには第一の係合部１５ｂ，１５ｄ及び第二の係合部１６ｂが係合されている。従って、スライダー１３が幅方向への力を受けて傾斜した際にも両係止溝２１ａ，２１ｂにそれぞれ係合する第一の係合部１５ａ〜１５ｄにて確実に下部レール１４からの外れを防止することができる。【００３９】
（６）スライダー１３が上方に移動するとき、係合端部１５ｅ〜１５ｈは、開口端部１４ａ〜１４ｄに係合する位置に形成されている。従って、スライダー１３が上方に容易に外れないようにすることができる。【００４０】
（第二の実施の形態）
以下、本発明を具体化した第二の実施の形態を図５に従って説明する。尚、第二の実施の形態においては、第一の実施の形態と異なる箇所のみを記載する。【００４１】
図５（ａ）〜（ｃ）に示すように、スライダー２３の下部には、第二の係合部２４ａ〜２４ｄ及び第一の係合部２５ａ，２５ｂが形成されている。第二の係合部２４ａ〜２４ｄは、スライダー２３の前後方向両側に配設されており、その間には第一の係合部２５ａ，２５ｂが配設されている。【００４２】
第二の係合部２４ａ〜２４ｄは、第一の実施の形態における第二の係合部１６ａ，１６ｂと同一形状に形成されている。第一の係合部２５ａ，２５ｂは、第一の実施の形態における第一の係合部１５ａ〜１５ｄと略同一形状に形成されており、係合端部２５ｃ，２５ｄがスライダー２３の幅方向内側に向かうように配設されている。係合端部２５ｃ，２５ｄは第二の係合部２４ａ〜２４ｄよりもスライダー２３の幅方向内側に突出するように配設されている。また、係合端部２５ｃと係合端部２５ｄとの間隔は、前記係止溝２１ａ，２１ｂの開口端部１４ｂと開口端部１４ｃとの間隔より狭く設定されている。【００４３】
このように形成された第一の係合部２５ａ，２５ｂは、第一の実施の形態における第一の係合部１５ａ〜１５ｄと同様、スライダー２３の幅方向に弾性変形可能となっている。即ち、スライダー２３を下方又は上方に移動させることで第一の係合部２５ａ，２５ｂが下部レール１４にて押し広げられ、該スライダー２３の取り付け或いは取り外しを行うことができる。【００４４】
上記のように構成されたスライダー２３及び下部レール１４では、上記第一の実施の形態に記載した（１）〜（６）と同様の作用効果を得ることができる。上記各実施の形態は、以下の態様で実施してもよい。【００４５】
上記第一の実施の形態においては、スライダー１３の前後方向両側に第一の係合部１５ａ〜１５ｄを配設し、その間に第二の係合部１６ａ，１６ｂが配設されていた。しかし、スライダーの前後方向両側に第二の係合部を配設し、その間に第一の係合部を配設するようにしてもよい。【００４６】
上記第二の実施の形態においては、スライダー２３の前後方向両側に第二の係合部２４ａ〜２４ｄを配設し、その間に第一の係合部２５ａ，２５ｂが配設されていた。しかし、図６に示すように、スライダー２６の前後方向両側に第一の係合部を配設し、その間に第二の係合部２６ａ，２６ｂを配設するようにしてもよい。【００４７】
上記第一及び第二の実施の形態において、スライダー１３，２３の幅方向に突出する係合端部１５ｅ〜１５ｈ或いは係合端部２５ｃ，２５ｄは、下方に下方斜面１８ａ〜１８ｄを備えていた。しかし、図７に示すように、下方斜面を持たない第一の係合部２８ａ，２８ｂにてスライダー２９を構成してもよい。スライダー２９は前後方向両側に第二の係合部３２ａ〜３２ｄが配設されており、その間に第一の係合部２８ａ，２８ｂが配設されている。【００４８】
また、図８（ａ）及び図８（ｂ）に示すように、上記スライダー２９の第一の係合部２８ａ，２８ｂに押圧部としての引っ掛け凸部３０ａ，３０ｂを一体形成してスライダー３１を構成してもよい。第一の係合部２８ａ，２８ｂの前方及び後方には、係合端部２８ｃ，２８ｄに向かうにつれて幅狭となるテーパ面３３ａ〜３３ｄがそれぞれ形成されている。【００４９】
引っ掛け凸部３０ａ，３０ｂは、スライダー３１を下部レール１４に取り付けた際に、該引っ掛け凸部３０ａ，３０ｂが開口端部１４ａ〜１４ｄより上方に位置するように形成されている。従って、引っ掛け凸部３０ａ，３０ｂと係合端部２８ｃ，２８ｄとの間に形成された凹部３１ａ，３１ｂが開口端部１４ａ〜１４ｄより上方に形成される。【００５０】
このように構成されたスライダー３１においては、凹部３１ａ，３１ｂに例えばマイナスドライバーなどを差し込むことによって容易に第一の係合部２８ａ，２８ｂを弾性変形させることができる。従って、下部レール１４からスライダー３１をより簡単に取り外すことができる。【００５１】
また、下部レール１４にスライダー３１を係合する際にも、凹部３１ａ，３１ｂを利用して第一の係合部２８ａ，２８ｂを容易に弾性変形することができる。従って、下部レール１４にスライダー３１を簡単に取り付けることができる。【００５２】
ここで、図７，図８（ａ）及び図８（ｂ）に示すように、下方斜面を持たない第一の係合部２８ａ，２８ｂを備えたスライダー２９，３１を、下部レール１４へ取り付ける際の作用を説明する。【００５３】
図９に示すように、スライダー３１を下部レール１４に取り付ける際には、先ず、パネルに対しスライダー３１を下部レール１４に沿う方向に少し回転させ、第二の係合部３２ａ〜３２ｄの何れか一つ（図９においては、第二の係合部３２ａ）を係止溝２１ａ内に挿入する。【００５４】
次に、スライダー３１の幅方向において、第二の係合部３２ａ側の第一の係合部２８ａを弾性変形させながら係止溝２１ａ内に挿入する。そして、最後に第一の係合部２８ａをスライダー３１の幅方向内側に弾性変形させながらスライダー３１を水平方向に回転させ、第二の係合部３２ｃを係止溝２１ａ内に挿入する。つまり、テーパ面３３ａが開口端部１４ａに押しつけられながら第一の係合部２８ａが弾性変形して、第二の係合部３２ｃの角（図９において左上角）から該第二の係合部３２ｃが係止溝２１ａ（図８（ｂ）参照）内に誘導される。このように、スライダー３１を下部レール１４に対して斜めに傾けて挿入することにより、上方への少ない傾斜でスライダー３１の幅方向外側に突出する第一の係合部２８ａを係止溝２１ａ内に挿入することができる。また、第一の係合部２８ａ，２８ｂがテーパ面３３ａ〜３３ｄを備えるため、挿入方向への第一の係合部２８ａの突出量が小さくなり、挿入時のスライダー３１の上方への傾斜をより小さくすることができる。【００５５】
そして、スライダー３１の幅方向片側の第一の係合部２８ａ及び第二の係合部３２ａ，３２ｃを係止溝２１ａ内に挿入した後、前述したようにマイナスドライバーなどを用いて第一の係合部２８ｂを弾性変形させ、スライダー３１の幅方向他側に突出する第一の係合部２８ｂ及び第二の係合部３２ｂ，３２ｄを係止溝２１ｂ内に挿入する。【００５６】
以上のように、下方斜面を持たない第一の係合部２８ａ，２８ｂを備えたスライダー２９，３１であっても、スライダー２９，３１及び該スライダー２９，３１が取着されたパネルを大きく傾斜させることなく容易に下部レール１４に取り付けることができる。【００５７】
また、下方斜面を形成しないことによりスライダー２９，３１の幅方向への突出量を大きくすることができ、上方へのスライダー２９，３１の外れを確実に防止することができる。
【産業上の利用可能性】
【００５８】
本発明は、パネルを上部レールと下部レールとの間で移動可能に支持して、上部レール及び下部レールに沿って移動可能とした戸を製造あるいは使用する産業において利用可能である。
【図１】
0004574553.tif 000002
【図２】
0004574553.tif 000003
【図３】
0004574553.tif 000004
【図４】
0004574553.tif 000005
【図５】
0004574553.tif 000006
【図６】
0004574553.tif 000007
【図７】
0004574553.tif 000008
【図８】
0004574553.tif 000009
【図９】
0004574553.tif 000010
【図１０】
0004574553.tif 000011